(57)【要約】      （修正有）【課題】より省電力なリング状に発光する表示灯を開発し、リング状に発光する表示灯を非常用警報装置にも適用可能とする発光表示部の取付方法を提供する。【解決手段】非常用警報装置１は、非常時に押下される発信部と、発信部の位置を表示する表示灯１０と、を備える。表示灯１０は、発信部を囲む様に設け、発光素子１９と、透明又は透光性の発光表示部２１と、発光素子１９からの光を拡散させるためのリング状の拡散部１７と、を有する。発光表示部２１は、拡散部１７の前面を覆う様に設けられる。拡散部１７は、その裏面に反射溝が形成されていると共に発光素子１９からの光を受ける受光部２７を有する。受光部２７は、発光素子１９からの光を拡散部１７の周方向へと偏向する偏向部を有する。【選択図】図２
2020077059.tif 000002
【特許請求の範囲】
【請求項１】
非常時に押下される発信部と、該発信部の位置を表示する表示灯と、を備え、
該表示灯は、該発信部を囲む様に設けられ、発光素子と、透明又は透光性の発光表示部と、該発光素子からの光を拡散させるためのリング状の拡散部と、を有しており、
該発光表示部は、該拡散部の前面を覆う様に設けられ、
該拡散部は、その裏面に反射溝が形成されていると共に該発光素子からの光を受ける受光部を有しており、
該受光部には、該発光素子からの光を該拡散部の周方向へと偏向する偏向部が設けられていることを特徴とする非常警報装置。
【請求項２】
前記発光表示部は、内側且つ奥側に向かって傾斜する傾斜面となっていることを特徴とする請求項１に記載の非常警報装置。
【請求項３】
前記拡散部は、その表面が、外周側より内周側が低くなるように形成されていることを特徴とする請求項１又は２に記載の非常警報装置。
【請求項４】
前記発光表示部は、少なくとも２箇所に設けられており、
該２箇所の内、一方の該発光表示部は、前記拡散部を覆う様に設けられており、他方の該発光表示部は、前記発信部の周囲を覆う様に設けられていることを特徴とする請求項１乃至３の何れかに記載の非常警報装置。
【請求項５】
背面に、螺子孔と、１又は複数の係止受部を有する機器カバーが前面側に取付けられ、
前記表示灯が、前記発光表示部よりも外縁に該係止受部に対応する様に設けられた係止部と、螺子挿通孔を有している請求項１乃至４の何れかに記載の非常警報装置における発光表示部の取付方法であって、
該係止受部に、該係止部を回動させて、該発光表示部を該機器カバーに仮固定する段階と、
該螺子挿通孔を介して、該螺子孔に螺子を螺合する段階と、を含むことを特徴とする発光表示部の取付方法。
【発明の詳細な説明】
【技術分野】
【０００１】
本発明は、非常警報装置及びその発光表示部の取付方法に関し、より詳細には、表示灯を有する非常警報装置及びその発光表示部の取付方法に関する。
【背景技術】
【０００２】
従来、非常事態（特に、犯罪や火災等）が起こったことを外部に知らせるための非常警報装置がある（例えば、特許文献１を参照）。非常警報装置は、非常時に押下される発信部と、発信部の位置を示す表示灯と、音により外部に非常事態が起こったことを知らせる音響装置とを有している。非常警報装置は単独または連動で動作するものであり、発信部を操作すると音響装置により鳴動する。
【０００３】
非常警報装置の表示灯は、非常警報装置の表面側に位置する機器カバーに取付けられている。機器カバーには、略矩形の開口部が設けられており、該開口部には、表示灯の光源である発光ダイオード（ＬＥＤ）が実装された基板が取付けられており、該開口部を塞ぐように且つ該基板を覆うように略円錐形のグローブが更に取付けられる。このグローブは、表示灯の視認性の確保から機器カバーから突出する様に取り付けられている。
【０００４】
この様な非常警報装置は、商用電源等に接続されており、商用電源等から電力の供給を受けているが、その規格上、停電等によって、商用電源等から電力の供給が受けられなくなった場合においても、蓄電池等の予備電源によって、一定時間起動可能になっている必要がある。
【０００５】
一方、消火機器の発信機の位置を表示する表示灯がある。近年、発信機の表示灯として、機器カバーから突出しない又は殆ど突出しない表示灯が開発されている（例えば、特許文献２を参照）。この様な表示灯は、発信機の周囲に設けられ、リング状に発光する様になっていることで視認性を確保しており、機器カバーから突出しないことで、物や人の衝突等が原因の破損が防止可能であるという利点を有している（以下、この表示灯を、リング型表示灯をいう）。
【先行技術文献】
【特許文献】
【０００６】
【特許文献１】特開平１０−１１６７９号公報
【特許文献２】特開２０１７−８４０２３号公報
【発明の概要】
【発明が解決しようとする課題】
【０００７】
従来の非常警報装置は、表示灯が機器カバーより突出して設けられているため、表示灯に物や人が誤ってぶつかってしまい、その衝撃によって、表示灯が破損するおそれがあるものであった。
【０００８】
前記のリング型表示灯を非常警報装置に適用することで、この様な表示灯の破損が防止できる様に思われるが、リング型表示灯は、リング状に発光させるために、多くのＬＥＤを必要するため、比較的消費電力が大きいという欠点がある。そのため、商用電源等からの電力供給が遮断され、予備電源での動作を余儀なくされた場合、予備電源の消費が激しくなってしまい、従来のリング型表示灯を非常用警報装置の表示灯として用いることは困難であった。
【０００９】
そこで、本発明は、より省電力なリング状に発光する表示灯を開発し、リング状に発光する表示灯を非常警報装置にも適用可能とすることを目的とする。
【課題を解決するための手段】
【００１０】
本発明の表示灯は、非常時に押下される発信装置を囲む様に取付可能であると共に該発信装置の位置を表示するための表示灯であって、発光素子と、該発光素子からの光を拡散させるためのリング状の拡散部と、少なくとも該拡散部の前面を覆う様に設けられる透明又は透光性の発光表示部と、を備え、該拡散部は、その裏面に反射溝が形成されていると共に該発光素子からの光を受ける受光部を有しており、該受光部は、該発光素子からの光を該拡散部の周方向へと偏向する偏向部が設けられていることを特徴とする。
【００１１】
又、本発明の非常警報装置は、非常時に押下される発信部と、該発信部の位置を表示する表示灯と、を備え、該表示灯は、該発信部を囲む様に設けられ、発光素子と、透明又は透光性の発光表示部と、該発光素子からの光を拡散させるためのリング状の拡散部と、を有しており、該発光表示部は、該拡散部の前面を覆う様に設けられ、該拡散部は、その裏面に反射溝が形成されていると共に該発光素子からの光を受ける受光部を有しており、該受光部には、該発光素子からの光を該拡散部の周方向へと偏向する偏向部が設けられていることを特徴とする。
【００１２】
又、本発明の発光表示部の取付方法は、背面に、螺子孔と、１又は複数の係止受部を有する機器カバーが前面側に取付けられ、前記表示灯が、前記発光表示部よりも外縁に該係止受部に対応する様に設けられた係止部と、螺子挿通孔を有している前記非常警報装置における発光表示部の取付方法であって、該係止受部に、該係止部を回動させて、該発光表示部を該機器カバーに仮固定する段階と、該螺子挿通孔を介して、該螺子孔に螺子を螺合する段階と、を含むことを特徴とする。
【００１３】
尚、本発明は、前記発光表示部を、内側且つ奥側に向かって傾斜する傾斜面とすることが可能である。又、本発明は、前記拡散部を、その表面が、外周側より内周側が低くなるように形成することが可能である。又、本発明は、前記発光表示部を、少なくとも２箇所に設け、該２箇所の内、一方の該発光表示部を、前記拡散部を覆う様に設け、他方の該発光表示部を、前記発信部の周囲を覆う様に設けることが可能である。
【００１４】
尚、本発明において、「リング状」には、円状や楕円状のもののみならず、多角形状のものや、分割リング等の不連続なものも含まれるものとする。
【発明の効果】
【００１５】
本発明は、発光素子からの光を受ける受光部が、該光を拡散部の周方向に偏向する偏向部を有すると共に拡散部の裏面に反射溝を形成したので、少ない数の発光素子で、表示灯をリング状に光らせることが可能であり、表示灯の消費電力を抑えることが可能であるので、非常警報装置にもこの様な表示灯を適用することが可能となっている。
【図面の簡単な説明】
【００１６】
【図１】本発明の第１及び第２実施形態を示す図であり、非常警報装置の斜視図である。
【図２】本発明の第１実施形態を示す図であり、非常用警報装置の分解図である。
【図３】本発明の第１実施形態を示す図であり、（ａ）が、拡散板の正面側の拡大斜視図であり、（ｂ）が拡散板の背面側の拡大斜視図である。
【図４】本発明の第２実施形態を示す図であり、非常用警報装置の分解図である。
【図５】本発明の第２実施形態を示す図であり、（ａ）が、拡散板の正面側の拡大斜視図であり、（ｂ）が拡散板の背面側の拡大斜視図である。
【図６】本発明の第１及び第２実施形態における拡散板の変形例を示す図であり、（ａ）は立片部を設けられた例における正面側の拡大斜視図であり、（ｂ）は略三角柱状の受光ガイドが設けられた例における背面側の拡大斜視図である。
【図７】本発明の第１及び第２実施形態における散乱板の変形例を示す図であり、背面側の拡大斜視図である。
【発明を実施するための形態】
【００１７】
本発明の第１実施形態を、非常警報装置に取付けられる表示灯を例として、図１乃至図３に基づき説明する。非常警報装置１は、筐体２を備えている。筐体２は、前面側に設けられた機器カバー３と、機器カバー３の裏面側に位置する本体部４と、を有している。又、非常警報装置１は、図示されない商用電源等に接続されている。
【００１８】
本体部４には、発信部５と、予備電源試験板６が設けられており、本体部４内には、停電時等の前記商用電源等より送電されない場合に使用される蓄電池等の予備電源（図示せず）が設けられている。
【００１９】
発信部５は、非常時に押下されることで、本体部４内に設けられた音響装置（図示せず）に非常信号を発信する発信装置の一種であり、発信部５による非常信号を受信した音響装置が周囲に非常事態を知らせる音声等を鳴動する。
【００２０】
予備電源試験板６には、該試験時に押下される試験ボタン７と、確認灯８と、を有している。試験ボタン７は、前記予備電源が、停電時等に正常に電源供給可能であるかを試験するために設けられている。本実施形態においては、非常警報装置１は、試験ボタン７が押下されると、該予備電源が正常に動作したことを検知した場合は、試験ボタン７を押下している間、確認灯８を点灯し、該予備電源の動作が異常であることを検知した場合は、試験ボタン７を押下している間、確認灯８が点滅する様になっている。
【００２１】
機器カバー３には、試験ボタン７を筐体２の外部より押下可能とするために略矩形状の操作用開口部９が設けられている。又、機器カバー３には、表示灯１０が取付けられており、表示灯１０を取付けるための略円形状の開口部１１（以下、表示灯開口部１１という）が設けられている。機器カバー３の裏面に位置する表示灯開口部１１の周縁には、後述するリング灯プレート１５を機器カバー３に取付けるための螺子孔１２が形成された有底の螺着部１３が立設されていると共に１又は複数の係止受部１４が設けられている。
【００２２】
表示灯１０は、リング灯プレート１５、散乱板１６、拡散板１７及び基板１８を有している。基板１８は、発光素子の一例たる複数の発光ダイオード（ＬＥＤ）１９が同円周上に配置される様に間欠的に実装されている。本実施形態においては、基板１８は、発信部５が貫通可能となる様に略馬蹄形状をなしている。又、ＬＥＤ１９は、サイドビューＬＥＤが採用されており、後述する拡散板１７の受光部２７と対向する様に基板１８の外方に向けて実装されており、例えば、４個のＬＥＤ１９が略等角（略90°）の間隔で配置されている。拡散板１７は、ＬＥＤ１９からの光をリング状に拡散させるための拡散部として設けられている。
【００２３】
散乱板１６は、拡散板１７によって、リング状に拡散された光を、更に散乱させ、後述する発光表示部２１を、全体に亘って略均一の輝度で光らせるために設けられている。本実施形態において、散乱板１６は、拡散板１７の前面に載置されると共に後述する発光表示部２１の背面側に位置する様に設けられ、散乱剤を分散させた乳白色の樹脂で形成されており、両面とも平坦に成形されている。尚、散乱板１６は、主に非常用警報装置１の美感の向上のために設けられているものであり、省略することも可能である。又、散乱板１６の形状や色は必要に応じて適宜選択可能である。
【００２４】
リング灯プレート１５は、機器カバー３に表示灯１０を取り付けた際に、外周側から、機器カバー３の裏面に当接する鍔部２０、鍔部２０の内方に位置する発光表示部２１、発光表示部２１の内方に位置する不透光部２２が位置しており、不透光部２２によって囲まれる様に操作用開口部２３が形成されている。つまり、鍔部２０は、表示灯１０であって、発光表示部２０よりも外縁側に位置していることとなる。鍔部２０には、機器カバー３に表示灯１０を保持するための螺子挿通孔２４が突設されていると共に係止受部１４と対応する様に設けられた係止部２５が設けられている。操作用開口部２３は、発信部５を、筐体２の外部より操作可能とするために設けられている。
【００２５】
発光表示部２１は、透明又は透光性を有しており、拡散板１７の前方を覆う様に設けられ、拡散板１７で拡散された光（本実施形態においては、散乱板１６によって更に散乱された光）が透過してリング状に光る様になっている。発光表示部２１の裏面側は、散乱板１６を挟む形で拡散部１０が嵌着可能に設けられている。又、発光表示部２１は、内側且つ奥側に向かって傾斜する傾斜面となっており、この様にすることで表示灯１０（発光表示部２１）をより広い方向から判別することが可能となる。
【００２６】
本実施形態においては、リング灯プレート１５は、全体が透明又は透光性のある素材で形成されており、発光表示部２１よりも内方に、操作用開口部２３の周囲を僅かに残す様に、不透光性の素材からなるシールを貼付することによって不透光部２２を形成している。さらに、操作用開口部２３は、アール面取り加工されている。そのため、発光表示部２１と共に操作用開口部２３の周囲も光る様になっており、当該部分が、発光表示部２６として機能する様になっている。つまり、本実施形態においては、発光表示部が２箇所に設けられており、一方は、発光表示部２１が拡散板１７の前方を覆う様に設けられ、他方は、発光表示部２６が発信部５の周囲を覆う様に設けられていることとなる。尚、操作用開口部２３は、内方に向けって傾斜するテーパー形状とすることが好ましい。この様にすることで、発信部５をより操作しやすくなる。
【００２７】
発光表示部２１を有するリング灯プレート１５を機器カバー３に取付ける際には、機器カバー３の係止受部１４に係止部２５を回動させることで、リング灯プレート１５を仮固定し、その後、螺子挿通孔２４を介して螺子孔１２に螺子を螺合する。
【００２８】
拡散板１７は、ＬＥＤ１９からの光を拡散させるための拡散部として設けられ、ＬＥＤ１９からの光を受ける複数の受光部２７を有しており、その裏面に反射溝２８が形成されている。受光部２７には、受光ガイド部２９及び受光ガイド部２９と連続する偏向部３０が形成されている。
【００２９】
反射溝２８は、本実施形態においては、同じ深さの溝であり、該溝が、周方向に等間隔に並列する様に形成されている。該溝の形状は、適宜選択可能であるが、例えば、略Ｖ字状溝が採用される。又、該溝が、どの方向に向けて形成するかについても適宜選択可能であり、拡散板１７の中心方向に向けられていてもよいし、それより偏心した位置に向けられていてもよく、更に、全ての該溝が同一の方向に向けられてなくともよい。
【００３０】
受光ガイド部２９は、本実施形態において、ＬＥＤ１９として、サイドビューＬＥＤを採用している且つＬＥＤ１９が、拡散板１７よりも内方に位置する様になっている関係上、拡散板１７の内径方向に向けられて設けられているが、ＬＥＤ１９を拡散板１７よりも外方に設けることも可能であり、その場合は、受光ガイド部２９は、拡散板１７の外径方向に向けられて設けられる。尚、受光ガイド部２９が向けられる方向は、適宜選択可能であり、各受光ガイド部２９が異なる方向に向けられていても良い。
【００３１】
偏向部３０は、ＬＥＤ１９からの光を拡散板１７の周方向へと偏向し、リング状に拡散させるために形成され、ＬＥＤ１９からの光を偏向するための偏光面を形成する様に、拡散板１７に設けられた切欠となっている。本実施形態において、偏向部３０は、ＬＥＤ１９からの光が、時計回りと反時計回りのそれぞれへと偏向される様に略Ｖ字状の切欠として設けられており、それによって、２つの偏向面３１が形成されている。
【００３２】
従って、本実施形態に表示灯１０においては、ＬＥＤ１９の光を拡散板１７でリング状に拡散させることによって、少ない数のＬＥＤ１９で発光表示部２１を光らせることが可能になるので、省電力化を期待することができ、商用電源等からの電力供給が遮断され、予備電源での動作を余儀なくされた場合であっても、規定時間、非常警報装置１を、起動可能な状態に保持可能となる。
【００３３】
本発明の第２実施形態を図１、図４及び図５に基づき説明する。本実施形態と第２実施形態との相違は、基板１８を別途設け、発光素子（ＬＥＤ１９）を基板１８に実装するのではなく、本体部４の基板（図示せず）に実装した点である。第１実施形態と同符号を付した構成については、同実施形態と同様であるので説明を省略する。
【００３４】
本実施形態の表示灯３２は、リング灯プレート１５、散乱板１６、拡散板３３及びライトガイド３４を有している。ライトガイド３４は、本体部４の基板に実装されたＬＥＤ（図示せず）からの光を拡散板３３に導くための導光部として設けられている。尚、ライトガイド３４は、拡散板３３の受光部２７（受光ガイド部２９）と一体的に設けることも可能である。
【００３５】
拡散板３３は、第１実施形態の拡散板１７と基本的に同様であるが、発光素子であるＬＥＤが本体部４の基板に実装されている関係で、受光部２７の受光ガイド部２９が、ライトガイド３４と対向し、且つ裏面側を向く形で設けられている。又、拡散板３３には、リング灯プレートの螺子挿通孔２４に共に螺着される螺子止部３５が形成されている。
【００３６】
拡散板３３の表面側は、発光表示部２１の形状に合わせて、内側且つ奥側に向かって傾斜する様に形成されており、この様にすることで、発光表示部２１を、全体に亘ってより均一な輝度で光らせることが可能になっている。
【００３７】
本発明を、上記実施形態に基づき説明したが、本発明は、上記実施形態に限定されるものではなく、発明の要旨を変更しない範囲で適宜変更可能である。
【００３８】
（１）上記実施形態は、本発明の表示灯を非常警報装置１に適用した例であるが、本発明の表示灯を、別の発信装置、例えば、消火機器の発信機、の表示灯として適用することも可能である。この様にすることで、消火機器においても省電力化を実現することが可能となる。この場合、発光表示部は発信機を囲む様に取り付けられ、発信機は、不透光部２２が位置する当たりに位置することとなる。
【００３９】
（２）第１実施形態において、拡散板１７の表面側は、平坦に形成したが、拡散板３６の様に、表面側の外周縁部に立片部３７を設けることも可能である（図６（ａ）を参照）。この様にすることで、発光表示部２１を、全体に亘ってより均一な輝度で光らせることが可能である。又、拡散板３３の様に、表面側を発光表示部２１の形状に合わせて、内側且つ奥側に向かって傾斜する様に形成することも可能であり、その様にすることで同様の効果を奏することが可能となる。
【００４０】
（３）第２実施形態において、拡散板３３の表面側を、発光表示部２１の形状に合わせて、外周側より内周側が低くなる様に形成したが、拡散板１７の様に表面側を平坦に形成することも可能である。又、拡散板３３の様に表面側の外周縁部に立片部３７を設けることも可能であり、その様にすることで同様の効果を奏することが可能となる。
【００４１】
（４）上記実施形態においては、偏向部３０を、完全な切欠として設けたが、拡散板１７，３３の表面側を残す様にして設けることも可能である。この様にすることで、発光表示部２１の表面側から、偏向部３０の形状が透けて見えることを防止することが可能となり、発光表示部２１をより均一に光らすことが可能となる。
【００４２】
（５）上記実施形態において、受光部２７に略円筒形の受光ガイド部２９を設けたが、受光ガイド部の形状は適宜変更可能である。例えば、拡散板３８の受光ガイド部３９の様に裏面側より表面側に向かって末広がりの略三角柱状に設けることも可能である（図６（ｂ）を参照）。この様にすることで、特に、第２実施形態の様に、発光素子が表示灯の裏面側に設けられている場合において、発光表示部２１から、発光素子の光が点状に見えてしまうことを防止することが可能となる。
【００４３】
（６）上記実施形態において、散乱板１６は、両面とも平坦に成形したが、散乱板４０の様に裏面側に凸起部４１を設けてもよい（図７を参照）。凸起部４１は、拡散板１７，３３の受光部２７と対向する位置に設けられており、通常、最も輝度が大きくなる受光部２７及びその近傍からの光を減衰させることで、発光表示部２１をより均一な輝度で光らせることが可能となる。
【００４４】
（７）上記実施形態において、反射溝２８は、均一の深さに、周方向に等間隔に形成したが、ＬＥＤ１９からの距離に応じて、間隔を変更してもよいし、溝の深浅を変えてもよい。そうすることで、より発光表示部２１を均一に発光させることができる。例えば、ＬＥＤ１９から遠ざかる程、溝の深さは深くなる様にしたり、間隔が密になる様にしたりすることが可能である。
【００４５】
（８）上記実施形態において、リング状に拡散された光を、略均一の輝度で光らせるものとしたが、左右方向または上下方向を強く光らせるように、強く光らせたい方向の反射溝２８の間隔を変更してもよいし、溝の深浅を変えてもよい。例えば、発光表示部２１の左右方向を強く光らせたい場合には、設置状態における左右方向の反射溝２８の間隔を狭めたり、溝の深さを深くしたりすることが可能である。
【００４６】
（９）上記実施形態において、拡散板１７全体を、可能な限り略同じ輝度で光らせられる様に、偏向部３０に２つの偏向面３１を設けたが、偏向面を一つとし、時計回り又は反時計回りの一方に光を拡散させる様にしてもよい。その際、光を拡散させない時計回り又は反時計回りの他方の面については、受光ガイド部２９，３９から偏向部３０への光の入射方向と略平行、例えば、受光ガイド部２９，３９側からみた傾斜角が略直角、となる様に形成することも可能である。
【００４７】
（１０）上記実施形態において、偏向部３０の２つの偏向面３１の受光ガイド部２９，３９側からみた傾斜角は、略同一な角度となる様に形成したが、偏向面３１の傾斜角を各々異なる角度なる様に形成することも可能である。
【符号の説明】
【００４８】
１    非常警報装置        ２    筐体                ３    機器カバー
４    本体部              ５    発信部              ６    予備電源試験板
７    試験ボタン          ８    確認灯              ９    操作用開口部
１０  表示灯              １１  表示灯開口部        １２  螺子孔
１３  螺着部              １４  係止受部            １５  リング灯プレート
１６  散乱板              １７  拡散板              １８  基板
１９  発光ダイオード      ２０  鍔部                ２１  発光表示部
２２  不透光部            ２３  操作用開口部        ２４  螺子挿通孔
２５  係止部              ２６  発光表示部          ２７  受光部
２８  反射溝              ２９  受光ガイド部        ３０  偏向部
３１  偏向面              ３２  表示灯              ３３  拡散板
３４  ライトガイド        ３５  螺子止部            ３６  拡散板
３７  立片部              ３８  拡散板              ３９  受光ガイド部
４０  散乱板              ４１  凸起部
【図１】
2020077059.tif 000003
【図２】
2020077059.tif 000004
【図３】
2020077059.tif 000005
【図４】
2020077059.tif 000006
【図５】
2020077059.tif 000007
【図６】
2020077059.tif 000008
【図７】
2020077059.tif 000009